【手続補正書】
【提出日】平成22年7月8日(2010.7.8)
【手続補正１】
【補正対象書類名】明細書
【補正対象項目名】００１８
【補正方法】変更
【補正の内容】
【００１８】
本発明は、例えば、以下を提供する。
（項目１）
ガス流中の標的物質を感知するためのセンサであって、
該ガス流に暴露されるように配置されたセンシング素子を備え、該センシング素子は、
作用電極と、
対電極と、
該作用電極と該対電極との間に延在するイオン交換材料の層と
を備え、それによって、該イオン交換層と該ガス流との接触が、該作用電極と該対電極との間に電気的接触を形成する、センサ。
（項目２）
前記イオン交換材料は、イオノマ、特にスルホン化テトラフルオロエチレン共重合体である、項目１に記載のセンサ。
（項目３）
前記イオン交換層は、メソ多孔性材料を含む、項目１または項目２のいずれか１項に記載のセンサ。
（項目４）
前記メソ多孔性材料は、ゼオライトであり、より具体的には、ゼオライト１３、ゼオライト４Ａ、またはそれらの混合物である、項目３に記載のセンサ。
（項目５）
前記メソ多孔性材料は、微細分散体として分散される、項目３または項目４のうちのいずれか１項に記載のセンサ。
（項目６）
前記イオン交換材料は、水、または凝縮水蒸気を含む、項目１〜項目５のいずれか１項に記載のセンサ。
（項目７）
前記標的物質は、酸性物質、より具体的には、二酸化炭素であるか、または水である、項目１〜項目６のいずれか１項に記載のセンサ。
（項目８）
前記ガス流が前記センシング素子に当たるように導かれるコンジットをさらに備える、項目１〜項目７のいずれか１項に記載のセンサ。
（項目９）
前記コンジットは、患者が息を吐き出し得るマウスピースを備える、項目８に記載のセンサ。
（項目１０）
前記作用電極および前記対電極は、点、線、環、および平面状の表面から選択された形態である、項目１〜項目９のいずれか１項に記載のセンサ。
（項目１１）
前記作用電極および前記対電極のうちの一方または両方は、複数の電極部分を備える、項目１〜項目１０のいずれか１項に記載のセンサ。
（項目１２）
前記作用電極および前記対電極の両方は、格子組みパターンで配列された複数の電極部分を備える、項目１１に記載のセンサ。
（項目１３）
前記電極部分は、同心円状のパターンで配列される、項目１１に記載のセンサ。
（項目１４）
前記対電極の表面積は、前記作用電極の表面積よりも大きい、項目１〜項目１３のいずれか１項に記載のセンサ。
（項目１５）
前記対電極と前記作用電極との表面積の比率は、少なくとも２：１、好ましくは少なくとも５：１である、項目１４に記載のセンサ。
（項目１６）
前記電極は、不活性基板上に支持される、項目１〜項目１５のいずれか１項に記載のセンサ。
（項目１７）
各電極は、元素周期表の第ＶＩＩＩ族、銅、銀、および金から選択された金属、好ましくは金またはプラチナを含む、項目１〜項目１６のいずれか１項に記載のセンサ。
（項目１８）
各電極の一部を覆って配置された絶縁材料の層をさらに備え、該絶縁層は、各電極の一部がガス流に直接接触したままになるように形成される、項目１〜項目１７のいずれか１項に記載のセンサ。
（項目１９）
基準電極をさらに備える、項目１〜項目１８のいずれか１項に記載のセンサ。
（項目２０）
前記電極は、基板上に載置され、該電極は、厚膜スクリーン印刷、スピン／スパッタコーティング、または可視／紫外線／レーザフォトリソグラフィによって該基板に適用される、項目１〜項目１９のいずれか１項に記載のセンサ。
（項目２１）
１つ以上の電極が複数の層で構成され、その外層は、電気化学的めっきによって適用された純金属の層である、項目１〜項目２０のいずれか１項に記載のセンサ。
（項目２２）
前記電極上に直接当たる前記ガス流を加熱するヒータをさらに備える、項目１〜項目２１のいずれか１項に記載のセンサ。
（項目２３）
水蒸気を含むガス流中の標的物質を感知する方法であって、
該ガス流を、作用電極と対電極との間に延在するイオン交換材料の層に当てることと、
該作用電極および該対電極全体に電位を印加することと、
該印加された電位の結果として、該作用電極と対電極との間の電流を測定することと、
該測定された電流から、該ガス流中の該標的物質の濃度の示度を測定することと
を含む、方法。
（項目２４）
前記標的物質は、二酸化炭素のような酸性物質、水蒸気、またはそれらの組み合わせである、項目２３に記載の方法。
（項目２５）
前記作用電極および前記対電極全体に定電圧が印加される、項目２３または項目２４に記載の方法。
（項目２６）
前記作用電極および前記対電極全体に可変電圧が印加される、項目２３または項目２４に記載の方法。
（項目２７）
前記可変電圧は、残留電位と、反応閾値電位を超える電位との間で交互に切り換わる、項目２６に記載の方法。
（項目２８）
前記電圧は、０．１Ｈｚ〜２０ｋＨｚの周波数でパルス化される、項目２７に記載の方法。
（項目２９）
患者の呼気中の標的物質の濃度を測定する方法であって、
該呼気を、作用電極と対電極との間に延在するイオン交換材料の層に当てることと、
該作用電極および該対電極全体に電位を印加することと、
該印加された電位の結果として、該作用電極と該対電極との間の電流を測定することと、
該測定された電流から、該呼気流中の標的物質の濃度の示度を測定することと
を含む、方法。
（項目３０）
前記標的物質は、水および／または二酸化炭素である、項目２９に記載の方法。
（項目３１）
前記方法は、患者の肺機能の測定に適用され、より具体的には、喘息、ＣＯＰＤまたはＡＲＤＳを患った患者の肺機能の測定に適用される、項目２９または項目３０に記載の方法。
（項目３２）
患者の通常呼吸がモニタリングされる、項目２９〜項目３１のうちのいずれか１項に記載の方法。
（項目３３）
ガス流の組成をモニタリングするためのシステムであって、
項目１〜項目２２のうちのいずれか１項に記載のセンサと、
該センサからの出力を受信するためのマイクロコントローラと、
ディスプレイと
を備え、該マイクロコントローラは、分析したガス流中の標的物質の濃度の連続像を該ディスプレイ上に作り出すようにプログラムされる、システム。
（項目３４）
前記センサは、患者の呼気に暴露されるように適合される、項目３３に記載のシステム。
（項目３５）
前記標的物質は、水および／または二酸化炭素である、項目３３または項目３４に記載のシステム。
本発明によれば、ガス流中の標的物質を感知するためのセンサであって、
ガス流に暴露されるように配置されたセンシング素子を備え、該センシング素子は、
作用電極と、
対電極と、
作用電極と対電極との間に延在するイオン交換材料の層とを備え、
それによって、イオン交換層とガス流との接触が、作用電極と対電極との間に電気的接触を形成する、センサが提供される。
【手続補正２】
【補正対象書類名】特許請求の範囲
【補正対象項目名】全文
【補正方法】変更
【補正の内容】
【特許請求の範囲】
【請求項１】
ガス流中の水を感知するためのセンサであって、
該ガス流に暴露されるように配置されたセンシング素子を備え、該センシング素子は、
作用電極と、
対電極と、
該作用電極と該対電極との間に延在するイオン交換材料の層であって、該イオン交換材料は、スルホン化テトラフルオロエチレン共重合体およびメソ多孔性材料の微細分散体を含むことによって特徴付けられるイオン交換材料の層と
を備え、使用において、該イオン交換層と該ガス流との接触が、該作用電極と該対電極との間に電気的接触を形成する、センサ。
【請求項２】
前記メソ多孔性材料は、ゼオライトを含み、具体的には、ゼオライト１３、ゼオライト４Ａ、またはそれらの混合物を含む、請求項１に記載のセンサ。
【請求項３】
前記ガス流が前記センシング素子に当たるように導かれるコンジットをさらに備え、好ましくは、該コンジットは、患者が息を吐き出し得るマウスピースを備える、請求項１〜請求項２のいずれか１項に記載のセンサ。
【請求項４】
前記作用電極および前記対電極は、点、線、環、および平面状の表面から選択された形態であり、好ましくは、該作用電極および該対電極のうちの一方または両方は、複数の電極部分を備え、より好ましくは、該作用電極および該対電極の両方は、格子組みパターンで配列された複数の電極部分を備え、さらにより好ましくは、該電極部分は、同心円状のパターンで配列される、請求項１〜請求項３のいずれか１項に記載のセンサ。
【請求項５】
前記センサを通じて吸入する間、ガスを前記センサ素子上に導くように配置された側部流入口をさらに備える、請求項１〜請求項４のいずれか１項に記載のセンサ。
【請求項６】
水蒸気を含むガス流中の水を感知する方法であって、
該ガス流を、作用電極と対電極との間に延在するイオン交換材料の層に当てることであって、該イオン交換材料は、スルホン化テトラフルオロエチレン共重合体およびメソ多孔性材料の微細分散体を含むことと、
該作用電極および該対電極全体に電位を印加することと、
該印加された電位の結果として、該作用電極と対電極との間の電流を測定することと、
該測定された電流から、該ガス流中の水の濃度の示度を測定することと
を含むことによって特徴付けられる、方法。
【請求項７】
前記作用電極および前記対電極全体に可変電圧が印加され、好ましくは、該可変電圧は、残留電位と、反応閾値電位を超える電位との間で交互に切り換わり、より好ましくは、該電圧は、０．１Ｈｚ〜２０ｋＨｚの周波数でパルス化される、請求項６に記載の方法。
【請求項８】
前記ガス流が患者の呼気を含む、請求項６に記載の方法。
【請求項９】
患者の通常呼吸がモニタリングされる、請求項８に記載の方法。
【請求項１０】
吸入されたガスが側部流入口を介して前記イオン交換材料の層上に向けられ得ることをさらに含む、請求項９に記載の方法。
【請求項１１】
ガス流中の水をモニタリングするためのシステムであって、
請求項１〜請求項５のうちのいずれか１項に記載のセンサと、
該センサからの出力を受信するためのマイクロコントローラと、
ディスプレイと
を備え、該マイクロコントローラは、分析したガス流中の水の濃度の連続像を該ディスプレイ上に作り出すようにプログラムされる、システム。